(57)【要約】【課題】実際のレースに参加しているような迫力あるゲームが楽しめ、遠隔地にいる者もゲームに参加できるレーシングカーゲーム装置を提供する。【解決手段】有名レーシングサーキットの１／Ｎ模型（１）と；  レーシングサーキット模型の管理制御を行う中央管制装置（２）と；  有名実用車を模した縮尺１／Ｎのリモートコントロール可能な複数台の模型自動車（３，３）と；  各模型自動車に対応して設けられ、出走者が使用する複数の指令ステーション（４，４）と；  各模型自動車の運転席に設けられたビデオカメラ並びにレーシングサーキット模型上の各所に設けられた複数のビデオカメラ（５，５）と；  上記ビデオカメラの撮影した画像を上記複数の指令ステーションに送信する装置（６）と；  ビデオカメラの撮影した画像を分析し、各出走者の技量を判定し、レースデータと共に各指令ステーションに送信する装置（７）と；  を備えたことを特徴とする。【選択図】  図１
2004181135.tif 000002
【特許請求の範囲】
【請求項１】
有名レーシングサーキットの１／Ｎ（但し、Ｎは５以上２０以下）模型（１）と；
上記レーシングサーキット模型内に設けられ、レーシングサーキット模型の管理制御を行う中央管制装置（２）と；
有名実用車を模した縮尺１／Ｎのリモートコントロール可能な複数台の模型自動車（３，３）と；
上記複数の模型自動車にそれぞれ対応して設けられ、その模型自動車を上記のレーシングサーキット模型の走行路上で走行させるため、上記中央管制装置にアクセスし得る通信機能と、その模型自動車を上記レーシングサーキット模型の走行路上で走行させるための制御機能とを有するリモートコントローラー（４２）と、ディスプレイ装置（４３）とを備えた複数の指令ステーション（４，４）と；
上記各模型自動車（３，３）の運転席に設けられたビデオカメラと；
上記レーシングサーキット模型上の各所に設けられ、レーシングサーキット模  型の走行路上で行われる模型自動車レースの状況を撮影する複数のビデオカメラ（５，５）と；
各模型自動車の運転席に設けられたビデオカメラ及びレーシングサーキット模型上の各所に設けられた複数のビデオカメラの撮影した画像を上記複数の指令ステーションに送信する装置（６）と；
各模型自動車の運転席に設けられたビデオカメラ及びレーシングサーキット模型上の各所に設けられた複数のビデオカメラの撮影した画像を分析し、各出走者の技量を判定し、レースデータと共に各指令ステーションに送信する装置（７）と；
を備えたことを特徴とするレーシングカーゲーム装置。
【発明の詳細な説明】
【０００１】
【発明の属する技術分野】
本発明は、レーシングカーゲーム装置に関し、特に、レーシングサーキット模型の走行路上で行われる模型自動車レースの状況をビデオカメラで撮影し、プレイヤーはその映像を遠隔地で見ながらゲームを行うことのできるレーシングカーゲーム装置に関する。
【０００２】
【従来の技術】
室内もしくは屋外に設けたレーシングサーキット模型の走行路上でリモートコントロール可能な模型自動車を走らせてレーシング競技を行うことは広く楽しまれている。
その場合のレーシングサーキット模型の広さは、通常、テニスコート程度であり、プレイヤーは走行する自分の模型自動車を直接目で見ながら手元のリモートコントロール装置を用いて操縦するようになっている。
然しながら、レーシングサーキット模型の広さは、上記の通りテニスコート程度であり、模型自動車のサイズも小さいため、リアリティや迫力に乏しく、所詮、ラジコン模型遊びという印象から抜け出せなかった。
また、レーシングサーキット模型の設置場所から遠く離れた地域のマニアは、交通手段を利用して遠くから出向く必要があり、参加の自由度が低かった。
【０００３】
【発明が解決しようとする課題】
本発明は、上記の如き問題点を解決するためなされたものであって、その目的とするところは、実際のレーシングに参加しているような迫力あるゲームを楽しむことができ、レーシングサーキット模型の設置場所から遠く離れた地域のマニアもゲームを楽しむことのできるレーシングカーゲーム装置を提供することにある。
【０００４】
【課題を解決するための手段】
本発明の上記の目的は、
有名レーシングサーキットの１／Ｎ（但し、Ｎは５以上２０以下）模型と；
上記レーシングサーキット模型内に設けられ、レーシングサーキット模型の管理制御を行う中央管制装置と；
有名実用車を模した縮尺１／Ｎのリモートコントロール可能な複数台の模型自動車と；
上記複数の模型自動車にそれぞれ対応して設けられ、その模型自動車を上記のレーシングサーキット模型の走行路上で走行させるため、上記中央管制装置にアクセスし得る通信機能と、その模型自動車を上記レーシングサーキット模型の走行路上で走行させるための制御機能とを有するリモートコントローラーと、ディスプレイ装置とを備えた複数の指令ステーションと；
上記各模型自動車（３，３）の運転席に設けられたビデオカメラと；
上記レーシングサーキット模型上の各所に設けられ、レーシングサーキット模  型の走行路上で行われる模型自動車レースの状況を撮影する複数のビデオカメラ（５，５）と；
各模型自動車の運転席に設けられたビデオカメラ及びレーシングサーキット模型上の各所に設けられた複数のビデオカメラの撮影した画像を上記複数の指令ステーションに送信する装置（６）と；
各模型自動車の運転席に設けられたビデオカメラ及びレーシングサーキット模型上の各所に設けられた複数のビデオカメラの撮影した画像を分析し、各出走者の技量を判定し、レースデータと共に各指令ステーションに送信する装置（７）と；
を備えたことを特徴とするレーシングカーゲーム装置によって達成できる。
【０００５】
【発明の実施の形態】
以下、図面を参照しつゝ本発明を具体的に説明する。
図１は、本発明に係るレーシングカーゲーム装置の全体構成を示す説明図、図２は、レーシングサーキット模型とは遠く離れた地域に用意される複数の指令ステーションの一例を示す説明図である。
【０００６】
図１中、１はレーシングサーキット模型、２は中央管制装置、３，３は模型自動車、４，４は指令ステーション、５，５はビデオカメラ、６はビデオ画像送信装置、７はレースデータ等を送信する装置である。
【０００７】
レーシングサーキット模型１は、例えば鈴鹿レーシングサーキットとか富士レーシングサーキット等の有名レーシングサーキットの１／Ｎの模型として作製される。ここで、Ｎは５以上２０以下の数値に設定される。５未満であると、レーシングサーキット模型が広大になり過ぎ、作製費及び維持管理費が高くなるという問題があり、また、Ｎが２０を超えると、模型が小さくなり過ぎて迫力等が不十分となるからである。
【０００８】
中央管制装置２は、レーシングサーキット模型１内に設けられ、レーシングサーキット模型の管理制御、即ち例えば、多数の模型自動車の走行制御、各種フラッグの上げ下げの制御、照明、後述するビデオカメラの制御、等々を行う。
【０００９】
レーシングサーキット模型１内を走行せしめられるリモートコントロール可能な複数台の模型自動車３，３についても、有名実用車を模した縮尺１／Ｎの模型として作製され（但し、レーシングサーキット模型と同様に、Ｎは５以上２０以下）、ゲームのリアリティを高めるようになっている。
また、各模型自動車３，３の運転席にはビデオカメラ（図では省略）が取り付けられ、運転席から見える情景を撮影するようになっている。
【００１０】
指令ステーション４，４は、出走者（プレイヤー）が遠隔地から各模型自動車（自分に割り当てられた車）を操縦し得るよう、上記複数の模型自動車にそれぞれ対応して設けられ、図２に示す如く、上記中央管制装置２にアクセスし得る通信機４１と、その模型自動車を上記レーシングサーキット模型の走行路上で走行させるためのリモートコントローラー４２と、レーシングサーキット模型１内で走行する自車の様子やその周囲の映像、並びに、各模型自動車の運転席から見える情景の映像を表示するディスプレイ装置４３等々を備えている。
【００１１】
複数のビデオカメラ５，５は、レーシングサーキット模型１内の各所に設置され、レーシングサーキット模型の走行路上で行われる模型自動車レースの状況を撮影する。
各模型自動車の運転席に設けたビデオカメラ及び上記複数のビデオカメラ５，５で撮影された画像データは、当該画像を上記複数の指令ステーション４，４に送信する装置６に一旦送られた後、各指令ステーション４，４に送信される。
【００１２】
また、各模型自動車の運転席に設けたビデオカメラ及び複数のビデオカメラ５，５で撮影された画像データは、当該画像をもとに各出走者の技量を分析、判断し、これをレースデータと共に各指令ステーションに送信する装置７に送られる。
【００１３】
レーシングサーキット模型１の設置場所から遠く離れた地域にいる出走者は、その指令ステーション４のディスプレイ装置４３に映し出される自車やその周囲の状況、並びに、各模型自動車の運転席から見える状況の映像を適宜切り替えて見ながら、リモートコントローラー４２を操作して自車を操縦する。その操縦信号は、通信機４１により各種通信手段（無線、公衆通信回線、ブロードバンド等）を介してレーシングサーキット模型１内の中央管制装置２に送られ、中央管制装置２はこれに基づいて各模型自動車５，５を走行せしめる。
なお、指令ステーション４は、図２に示したように通信機４１、リモートコントローラー４２及びディスプレイ装置４３を一体的に組み立てたものに限らず、例えば、実車の運転装置及び座席を模したコントローラーを用いることもでき、又、それぞれが個別に構成され、ディスプレイ装置については大型のスクリーン等を用いて一層迫力あるゲームを楽しむことができるように構成することも推奨される。
【００１４】
【発明の効果】
本発明は以上の如く構成されるので、本発明によるときは、次のような作用効果を達成することができる。
（１）実際の有名なレーシングサーキットの大型模型内で、有名な実用車の大型模型自動車を走行させ、その状況を実況で見ながらレースを行うことができるので、リアリティに富んだ迫力あるレーシングカーゲームを行うことができる。
（２）レーシングサーキット模型１の設置場所から遠く離れた地域にいる出走者もゲームに参加でき、これを楽しむことができる。
【図面の簡単な説明】
【図１】本発明に係るレーシングカーゲーム装置の全体構成を示す説明図である。
【図２】レーシングサーキット模型とは遠く離れた地域に用意される複数の指令ステーションの一例を示す説明図である。
【符号の説明】
１  レーシングサーキット模型
２  中央管制装置
３  模型自動車
４  指令ステーション
４１  通信機
４２  リモートコントローラー
４３  ディスプレイ装置
５  ビデオカメラ
６  画像送信装置
７  レースデータ等の送信装置
【図１】
2004181135.tif 000003
【図２】
2004181135.tif 000004